(57)【要約】【課題】パネルやそれと一体の背面板のガタツキを防止して異音の発生が防止される可動パネルの駆動装置を提供する。【解決手段】電子機器本体１の前面側に配置され、第１の定位置と前記第１の定位置と異なる向きの第２の定位置の間で駆動される可動パネル４の駆動装置において、前記第１の定位置と第２の定位置の少なくとも一方の位置において、電子機器本体に固定された同一平面をなさない少なくとも２つの面に夫々圧接される弾性部材６ａ、６ｂを可動パネルの背面側に設けた。【選択図】図１
2009286298.tif 000002
【特許請求の範囲】
【請求項１】
電子機器本体の前面側に配置され、第１の定位置と前記第１の定位置と異なる向きの第２の定位置の間で駆動される可動パネルの駆動装置において、前記第１の定位置と第２の定位置の少なくとも一方の位置において、電子機器本体に固定された同一平面をなさない少なくとも２つの面に夫々圧接される弾性部材が可動パネルの背面側に設けられていることを特徴とする可動パネルの駆動装置。
【請求項２】
前記第１の定位置は電子機器本体の前面を覆う位置であり、前記第２の定位置は電子機器本体の前面を開く位置である請求項１の可動パネルの駆動装置。
【請求項３】
前記第１の定位置において前記弾性部材が電子機器本体に固定された面に圧接され、前記第２の定位置において前記弾性部材が可動パネルを駆動する駆動機構を構成する部材に圧接される請求項２の可動パネルの駆動装置。
【請求項４】
前記駆動機構は前記背面側を回動自在に支持するスライダと、前記背面側に設けられた凸部を案内するガイド溝を含む請求項３の可動パネルの駆動装置。
【発明の詳細な説明】
【技術分野】
【０００１】
この発明は電子機器に係わり、特に、その可動パネルの駆動装置に関する。
【背景技術】
【０００２】
従来の可動パネルの駆動装置の例を図７および図８により説明する。図７は従来の可動パネルの駆動装置の例を示す側面図、図８は同可動パネルの駆動装置の他の状態を示す側面図である。
【０００３】
図７および図８に示す１１は車載用音響・映像機器等の電子機器本体であり、その前面側にサブパネル１２が固定されている。サブパネル１２の両内側面にはガイド溝１２ａが形成されている。
【０００４】
スライダ１３は電子機器本体１１の下方に配置されており、水平方向すなわちサブパネル１２に対して出入方向に駆動される。スライダ１３の両側板に設けた軸１３ａはパネル１４を保持する背面板１５を回動自在に支持している。なお、パネル１４には電子機器を操作するためのつまみや表示装置が設けられているが、これらは図７および図８に図示していない。背面板１５の両側面に設けられた凸部１５ａはサブパネル１２の両内側面に設けられたガイド溝１２ａと係合している。さらに、背面板１５にはゴム等で作られた弾性部材１６が貼着されている。
【０００５】
上記構成において、スライダ１３が水平方向に移動すると、背面板１５の下端部が水平方向に移動すると共に、背面板１５およびこれと一体のパネル１４が傾動する。図７はスライダ１３が電子機器本体１１の内部方向の移動終端まで移動した状態を示しており、この状態でサブパネル１２に設けられている記録媒体挿入口はパネル１４で覆われている。そして、背面板１５に貼着された弾性部材１６はサブパネル１２に圧接されている。
【０００６】
図８はスライダ１３が電子機器本体１１から突出方向の移動終端まで移動した状態を示しており、この状態でパネル１４はサブパネル１２に設けられている記録媒体挿入口を開いており、記録媒体の挿入や交換が可能となっている。
【０００７】
上記図７および図８に示す従来の可動パネルの駆動装置では、背面板１５がサブパネル１２を覆う位置にあるときは、弾性部材１６がサブパネル１２に圧接されているので、車両に搭載された電子機器本体１１が振動しても、パネル１４と一体の背面板１５がサブパネル１２に対して垂直方向にガタツクことはない。
【０００８】
しかしながら、弾性部材１６とサブパネル１２との圧接力のサブパネル１２の面平行方向に対する制動力は小さく、サブパネル１２の面平行方向のガタツキは押えられない。そのために、背面板１５の凸部１５ａとガイド溝１２ａとの衝突音や背面板１５とそれに近接する部材との衝突音が発生する恐れがあった。
【０００９】
また、図８に示す、背面板１５がサブパネル１２を開いた位置にあるときは、弾性部材１６は制動力を発生しないため、パネル１４と一体の背面板１５がガタツイて衝突音が発生していた。
【００１０】
特開平９−１８８２０２号公報に開示された車載用音響映像装置は、表示装置４が前面板２を覆う位置と開く位置との間で駆動され、表示装置４が前面板２を覆う位置にロックされているときに、表示装置４の背面に固定された弾性板１８が前面板２に設けられたカセット挿入口１１の孔縁部１１Ａに接触して異音の発生を防止する。
【００１１】
カセット挿入口１１の孔縁部１１Ａは同一平面に形成されているため、表示装置４の孔縁部１１Ａの前面と平行方向のガタツキを防止する効果は小さい。さらに、表示装置４が前面板２を開いた位置にときは、弾性板１８は他の部材に圧接されていないので、表示装置４のガタツキは制動されず、異音の発生が防止されない。
【特許文献１】特開平９−１８８２０２号公報、段落００２０、図２、図３、図７
【発明の開示】
【発明が解決しようとする課題】
【００１２】
この発明は上記した点に鑑みてなされたものであって、その目的とするところは、パネルやそれと一体の背面板のガタツキを防止して異音の発生が防止される可動パネルの駆動装置を提供することである。
【００１３】
この発明の他の目的は、第１の定位置と第２の定位置の間で駆動される可動パネルの駆動装置において、可動パネルが第１の定位置と第２の定位置のいずれの位置にあるときもパネルやそれと一体の背面板のガタツキを防止して異音の発生が防止される可動パネルの駆動装置を提供することにある。
【課題を解決するための手段】
【００１４】
この発明の可動パネルの駆動装置は、電子機器本体の前面側に配置され、第１の定位置と前記第１の定位置と異なる向きの第２の定位置の間で駆動される可動パネルの駆動装置において、前記第１の定位置と第２の定位置の少なくとも一方の位置において、電子機器本体に固定された同一平面をなさない少なくとも２つの面に夫々圧接される弾性部材が可動パネルの背面側に設けられているものである。
【００１５】
また、前記可動パネルの駆動装置において、前記第１の定位置を電子機器本体の前面を覆う位置とし、前記第２の定位置を電子機器本体の前面を開く位置としたものである。
【００１６】
また、前記可動パネルの駆動装置において、前記第１の定位置において前記弾性部材が電子機器本体に固定された面に圧接され、前記第２の定位置において前記弾性部材が可動パネルを駆動する駆動機構を構成する部材に圧接されるものである。
【００１７】
また、前記可動パネルの駆動装置において、前記駆動機構は前記背面側を回動自在に支持するスライダと、前記背面側に設けられた凸部を案内するガイド溝を含むものである。
【発明の効果】
【００１８】
この発明の可動パネルの駆動装置によれば、電子機器本体が振動してもパネルやそれと一体の背面板のガタツキが確実に防止されて異音が発生しない。
【発明を実施するための最良の形態】
【００１９】
以下この発明を実施するための最良の形態を実施例に即して説明する。
【実施例１】
【００２０】
図１はこの発明の実施例１である可動パネルの駆動装置の例を示す側面図、図２は同可動パネルの駆動装置の他の状態を示す側面図、図３は同可動パネルの駆動装置の部分を示す斜視図である。
【００２１】
図１および図２に示す１は車載用の車載用音響・映像機器等の電子機器本体であり、その前面側にサブパネル２が固定されている。サブパネル２の両内側面にはガイド溝２ａが形成されている。
【００２２】
図３にも示されているスライダ３は電子機器本体１の下方に配置されており、図示していないモータや伝動機構によ水平方向すなわちサブパネル２に対して出入方向に駆動される。スライダ３の両側板に設けた軸３ａはパネル４を保持する背面板５を回動自在に支持している。なお、パネル４には電子機器を操作するためのつまみや表示装置が設けられているが、これらは図１および図２に図示していない。
【００２３】
背面板５の両側面に設けられた凸部５ａはサブパネル２の両内側面に設けられたガイド溝２ａと係合している。上記背面板５、スライダ３およびモータや伝動機構、サブパネル２のガイド溝２ａはパネル４の駆動機構を構成している。
【００２４】
背面板５には突起５ｂが設けられており、突起５ｂの傾斜面にはゴム等で作られた弾性部材６ｂが接着されており、突起５ｂの段差面には、ゴム等で作られた弾性部材６ａが接着されている。
【００２５】
上記構成において、スライダ３が水平方向に移動すると、背面板５の下端部が水平方向に移動すると共に、背面板５およびこれと一体のパネル４が傾動する。図１はスライダ３が電子機器本体１の内部方向の移動終端まで移動した状態を示しており、この状態でサブパネル２に設けられている図示していない記録媒体挿入口はパネル４で覆われている。
【００２６】
そして、背面板５に貼着された弾性部材６ａはサブパネル２の水平方向の面に圧接し、弾性部材６ｂはサブパネル２の傾斜面に圧接している。このため、背面板５は軸３ａ回りの回動方向および上下方向の振動が制動される。したがって、背面板５の凸部５ａとガイド溝２ａと衝突音や背面板５と近接する部材との衝突音が発生しない。
【００２７】
図２はスライダ３が電子機器本体１から突出方向の移動終端まで移動した状態を示しており、この状態でパネル４はサブパネル２に設けられている記録媒体挿入口を開いており、記録媒体の挿入や交換が可能となっている。
【００２８】
図２に示す状態では、背面板５に貼着された弾性部材６ｂはスライダ３に圧接している。このため、背面板５は軸３ａ回りの回動方向および上下方向の振動が制動される。したがって、背面板５の凸部５ａとガイド溝２ａと衝突音や背面板５と近接する部材との衝突音が発生しない。
【実施例２】
【００２９】
図４はこの発明の実施例２である可動パネルの駆動装置の部材を示す側面図である。この例では、実施例１の背面板５の突起５ｂに図４に示す弾性部材７が接着される。弾性部材７は断面フ字形となっており、実施例１の弾性部材６ａ、６ｂを一体化ものである。
【００３０】
他の構成は実施例１と同様である。この例では部品点数が少なくなり、接着時の位置決めが簡単であり、組立て工数も少なくなる。さらに、接着強度も大きくなり、弾性部材７が剥がれにくい。
【実施例３】
【００３１】
図５この発明の実施例３である可動パネルの駆動装置の例を示す側面図、図６同可動パネルの駆動装置の他の状態を示す側面図である。この例では実施例１の可動パネルの駆動装置において、スライダ３に突起３ｂが形成され、背面板５に台形状の突起５ｂが形成され、突起５ｂの異なる３つの面に夫々弾性部材６ａ、６ｂ、６ｃが貼着されている。他の構成は実施例１と同様である。
【００３２】
上記構成において、図５に示すように、パネル４が直立した背面板５に貼着された弾性部材６ａはサブパネル２の水平方向の面に圧接し、弾性部材６ｂはサブパネル２の傾斜面に圧接している。このため、背面板５は軸３ａ回りの回動方向および上下方向の振動が制動される。したがって、背面板５の凸部５ａとガイド溝２ａと衝突音や背面板５と近接する部材との衝突音が発生しない。この効果は実施例１と同様である。
【００３３】
図６に示すように、パネル４がサブパネル２を開く状態では、背面板５に貼着された弾性部材６ｂおよび６ｃは夫々スライダ３およびスライダ３の突起３ｂ夫々異なる向きの面に圧接している。このため、パネル４はサブパネル２を開く状態においても、２方向の振動が効果的制動され、背面板５の凸部５ａとガイド溝２ａと衝突音や背面板５と近接する部材との衝突音が発生しない。
【００３４】
実施例は以上のように構成されているが発明はこれに限られず、例えば、パネルの背面板を固定軸回りに回動自在に支持し、手動で回動させ、所定位置にロックさせるようにしてもよい。
【図面の簡単な説明】
【００３５】
【図１】この発明の実施例１である可動パネルの駆動装置の例を示す側面図である。
【図２】同可動パネルの駆動装置の他の状態を示す側面図である。
【図３】同可動パネルの駆動装置の部分を示す斜視図である。
【図４】この発明の実施例２である可動パネルの駆動装置の部材を示す側面図である。
【図５】この発明の実施例３である可動パネルの駆動装置の例を示す側面図である。
【図６】同可動パネルの駆動装置の他の状態を示す側面図である。
【図７】従来の可動パネルの駆動装置の例を示す側面図である。
【図８】同可動パネルの駆動装置の他の状態を示す側面図である。
【符号の説明】
【００３６】
１  電子機器本体
２  サブパネル、２ａ  ガイド溝
３  スライダ、３ａ  軸、３ｂ  突起
４  パネル
５  背面板、５ａ  凸部、５ｂ  突起
６ａ、６ｂ、６ｃ  弾性部材
７  弾性部材
１１  電子機器本体
１２  サブパネル、１２ａ  ガイド溝
１３  スライダ、１３ａ  軸
１４  パネル
１５  背面板、１５ａ  凸部
１６  弾性部材
【図１】
2009286298.tif 000003
【図２】
2009286298.tif 000004
【図３】
2009286298.tif 000005
【図４】
2009286298.tif 000006
【図５】
2009286298.tif 000007
【図６】
2009286298.tif 000008
【図７】
2009286298.tif 000009
【図８】
2009286298.tif 000010